(57)【要約】  【課題】  排泄物が収容された容器本体の、把手に対する相対回動を阻止すること。  【解決手段】逆Ｕ字型をなす把手の双方の遊端部を容器本体に枢着することにより、前記把手が、双方の枢着点を結ぶ枢軸を中心として、前記容器本体に対して回動可能とされたポータブルトイレ用バケツにおいて、前記把手を持ち上げた状態の下、前記容器本体内に排泄された排泄物の重みにより前記容器本体が前記枢軸回りに回動しないように、回動阻止手段を設けた。【選択図】  図７
2006094886.tif 000002
【特許請求の範囲】
【請求項１】
逆Ｕ字型をなす把手の双方の遊端部を容器本体に枢着することにより、前記把手が、双方の枢着点を結ぶ枢軸を中心として、前記容器本体に対して回動可能とされたポータブルトイレ用バケツにおいて、前記把手を持ち上げた状態の下、前記容器本体内に排泄された排泄物の重みにより前記容器本体が前記枢軸回りに回動しないように、回動阻止手段を設けた、ポータブルトイレ用バケツ。
【請求項２】
前記容器本体が前記枢軸に関して一方側及び他方側とに区画され、前記容器本体の一方側に形成された縁部の端面を、前記回動阻止手段とした、請求項１記載のポータブルトイレ用バケツ。
【請求項３】
前記容器本体が前記枢軸に関して一方側及び他方側とに区画され、前記容器本体の他方側の端部には、非使用位置にある前記把手を休止位置に保持する休止体が形成されている、請求項１記載のポータブルトイレ用バケツ。
【請求項４】
前記容器本体が前記枢軸に関して一方側及び他方側とに区画され、前記容器本体の一方側に形成された縁部の端面を、前記回動阻止手段とし、更には、前記容器本体の他方側の端部には、非使用位置にある前記把手を休止位置に保持する休止体が形成されている、請求項１記載のポータブルトイレ用バケツ。
【発明の詳細な説明】
【技術分野】
【０００１】
本発明は、バケツに関し、特にポータブルトイレ用バケツに関する。
【背景技術】
【０００２】
近年、高齢者時代の到来とともに在宅の寝たきり老人の介護が大きな社会問題となりつつある。この介護に際しては特に排泄物の処理が大変である。かような事情に鑑み、寝室・病室などの室内に家具の如く置いておくことができるポータブルトイレが種々市販されるようになってきた。このポータブルトイレは、例えば特許文献１に開示されるように、便座の下側にバケツが配置される。そして、要介護者の排泄物が、このバケツ内に落下するようになっている。このバケツは、介護者が適時に容器収容室から取り出し、トイレルーム等にて処理する。
【特許文献１】特開２００２−２８２１６４号公報
【発明の開示】
【発明が解決しようとする課題】
【０００３】
特許文献１に開示されたポータブルトイレを用いれば確かに、要介護者の排泄が容易になるも、介護者にとっては、問題が残る。すなわち、バケツは容器本体と、この容器本体に回動可能に、２つの点にて、枢着された把手とを備えるが、把手を持って、排泄物が入った容器本体を引き上げた場合、容器本体が、２つの枢着点を結ぶ枢軸を中心として回動して傾き、排泄物がこぼれる可能性がある。これは、枢軸と排泄物が収容された容器本体の重心が同一鉛直線上にないからである。
【０００４】
それ故に、本発明は、排泄物を収容した容器本体が、把手に対して相対回動しなようにすることを、その技術的課題とする。
【課題を解決するための手段】
【０００５】
上記の課題を解決するために講じた技術的手段は、請求項１に記載のように、
「逆Ｕ字型をなす把手の双方の遊端部を容器本体に枢着することにより、前記把手が、双方の枢着点を結ぶ枢軸を中心として、前記容器本体に対して回動可能とされたポータブルトイレ用バケツにおいて、前記把手を持ち上げた状態の下、前記容器本体内に排泄された排泄物の重みにより前記容器本体が前記枢軸回りに回動しないように、回動阻止手段を設けた、ポータブルトイレ用バケツ。」
を構成したことである。
【発明の効果】
【０００６】
本発明によれば、把手を持って、排泄物が入った容器本体を引き上げた場合、容器本体が、枢軸と排泄物が収容された容器本体の重心が同一鉛直線上に存在しないことに伴い、枢軸を中心として回動しようとしても、回動阻止手段により、かような回動は阻止され、排泄物がこぼれることはない。
【発明を実施するための最良の形態】
【０００７】
以下、本発明の温水洗浄便座装置を具体化した一実施の形態を、図面を参照して詳細に説明する。
【０００８】
図１〜図３において、ポータブルトイレ１０は、イス部２０を備える。イス部２０には、前後方向にスライド可能な支持板２２が設けられる。支持板２２には孔２４が形成されている。樹脂製の外バケツ３０が孔２４の内部に嵌入されており、外バケツ３０の縁部３２が支持板２２と係合している。かようにして、外バケツ３０は、支持板２２に懸架される。
【０００９】
外バケツ３０の内部には、樹脂製の内バケツ４０が収容される。この内バケツ４０の開口部は、不使用時は、蓋５０で閉塞される。
【００１０】
支持板２２の後方部には洗浄部６０が装着される。洗浄部６０は、ケース６２と、ケース６２に枢着された便座６４と、ケース６４内に設置された洗浄機構（図示略）とから構成される。洗浄機構は、後で説明するように、内バケツ４０を開放状態にし、便座６２に着座した使用者が排泄した後、所定の操作により、図示されないノズルから温水が使用者の肛門に噴射されて、洗浄がなされるようになっている。
【００１１】
ポータブルトイレ１０は、使用されない時は、図１に示されるように、内バケツ４０の開口部が蓋５０で閉塞され、このような状態で、便座６２が使用位置におかれる。ポータブルトイレ１０を使用する場合、つまり要介護者が排泄しようとする場合、介護者は、まず、まず、便座６２を起立させて（図３）、支持板２２を少し前方に引き出し（図４）、蓋５０を取って内バケツ４０を開放状態とし（図５）て、支持板２２を元に戻し、便座６２を使用位置にする。そして、要介護者が便座６２に着座して排泄し、温水洗浄がなされる。排泄物（大便・小便）は、内バケツ４０内に収容される。
【００１２】
かような一連の排泄行為が終了すると、内バケツ４０内に収容される排泄物をトイレ室の便器（若しくは汚物流し）に捨てる必要があるので、支持板２２が少し前方に引き出され、内バケツ４０内が取り出される（図６）。以下の詳しく述べるように、内バケツ４０は、排泄物が収容された容器本体４２の、把手４４に対する相対回動が阻止される構成となっているので、少し前方にする。
【００１３】
尚、上記において支持板２２を少し前方に引き出すのは、上方に取り出そうとする蓋５０・内バケツ４０とノズルとの干渉を回避するためである。
【００１４】
図７〜図９に依拠して、内バケツ４０について、詳細に説明する。
【００１５】
内バケツ４０は、容器本体４２と、把手４４とを備える。把手４４は逆Ｕ字型をなしており、その遊端部４４ａ・４４ａは、容器本体４２の長手方向の略外面中央部に一体のピン４６・４６と回転自在に連結されている。つまり、逆Ｕ字型をなす把手４４の双方の遊端部４４ａ・４４ａを容器本体４２のピン４６・４６に枢着することにより、把手４４が、双方の枢着点たるピン４６・４６を結ぶ枢軸Ｘを中心として、容器本体４２に対して回動可能とされる。
【００１６】
容器本体４２の、枢軸Ｘの右側の端部には、非使用位置にある把手を休止位置に保持する休止体４９が一体形成されている。また、容器本体４２の、枢軸Ｘの左側の上面部には、外方向に突出する上縁部４８・４８が一体形成されており、その端部４８ａ・４８ａが、起立された状態の把手４４の遊端部４４ａ・４４ａと、所定の間隔をおいて対峙している。
【００１７】
図７及び図８から明らかなように、容器本体４２は、枢軸Ｘに関して左右対称ではなく、右側の容積が大きく設定されている。しかして、排泄物は、容器本体４２の右側部分に主として収容されるので、枢軸Ｘの中心と排泄物を収容した容器本体４２の重心とは同一鉛直線上にはなく、容器本体４２が外バケツ３０内で着座した状態で、起立した把手４４を持ち上げたとき、容器本体４２は枢軸Ｘの周りを時計方向に回動しようとする。しかし、把手４４の遊端部４４ａ・４４ａが、容器本体４２の上縁部４８・４８の端部４８ａ・４８ａと係合し、更なる回動を阻止する。これにより、容器本体４２の大きな回動に伴う排泄物のこぼれが防止される。
【図面の簡単な説明】
【００１８】
【図１】本発明の一実施の形態に係るバケツが装着されるポータブルトイレの斜視図である。
【図２】図１のポータブルトイレの分解斜視図である。
【図３】図１のポータブルトイレの使用開始前、便座を起立させたときの、斜視図である。
【図４】図１のポータブルトイレの使用開始前、図３の状態を齎した後、支持板を引き出したときの、斜視図である。
【図５】図１のポータブルトイレの使用開始前、図４の状態を齎した後、蓋を引き上げたときの、斜視図である。
【図６】図１のポータブルトイレの使用開始後、内バケツを引き上げようとするときの、斜視図である。
【図７】本発明の一実施の形態に係るバケツ単体の側面図である。
【図８】図７のバケツ単体の平面図である。
【図９】図７のバケツ単体の正面図である。
【符号の説明】
【００１９】
４０  バケツ（内バケツ）
４２  容器本体
４４  把手
４８  上縁部（回動防止手段）
【図１】
2006094886.tif 000003
【図２】
2006094886.tif 000004
【図３】
2006094886.tif 000005
【図４】
2006094886.tif 000006
【図５】
2006094886.tif 000007
【図６】
2006094886.tif 000008
【図７】
2006094886.tif 000009
【図８】
2006094886.tif 000010
【図９】
2006094886.tif 000011